(57)【要約】【課題】認証されていない個人がドアを通過することを防止しつつ、電気錠の消費電力を削減することができる入退室管理システムを提供する。【解決手段】ドアに設けられ、ドアが閉じている状態のときに電流が供給されると、ドアの施錠状態を維持する電気錠と、ドアの近傍に設けられた認証装置と、ドアを開く操作が行なわれたことを検出する検出装置と、ドアを開く操作が行なわれていない場合は、電気錠への電流供給を遮断し、ドアを開く操作が行なわれた際に個人が認証されていない場合は、電気錠に電流を供給し、ドアを開く操作が行なわれた際に個人が認証されている場合は、電気錠への電流供給の遮断を維持する制御装置と、を備えた。【選択図】図１
2013124539.tif 000002
【特許請求の範囲】
【請求項１】
ドアに設けられ、前記ドアが閉じている状態のときに電流が供給されると、前記ドアの施錠状態を維持する電気錠と、
前記ドアの近傍に設けられた認証装置と、
前記ドアを開く操作が行なわれたことを検出する検出装置と、
前記ドアを開く操作が行なわれていない場合は、前記電気錠への電流供給を遮断し、前記ドアを開く操作が行なわれた際に個人が認証されていない場合は、前記電気錠に電流を供給し、前記ドアを開く操作が行なわれた際に個人が認証されている場合は、前記電気錠への電流供給の遮断を維持する制御装置と、
を備えたことを特徴とする入退室管理システム。
【請求項２】
個人が認証されている場合に開き、個人が認証されていない場合に閉じる第１接点と、
前記ドアを開く操作が行なわれていない場合に開き、前記ドアを開く操作が行なわれた場合に閉じる第２接点と、
前記第１接点と前記第２接点とが閉じた場合に、前記電気錠に電流を供給する制御回路と、
を備えたことを特徴する請求項１記載の入退室管理システム。
【請求項３】
前記ドアが閉じている状態のときに前記ドアを開く操作が行なわれていない場合は前記ドアを仮施錠し、前記ドアを開く操作が行なわれた場合は前記ドアの仮施錠を開放するラッチボルト、
を備え、
前記第２接点は、前記ラッチボルトに設けられたことを特徴とする請求項２記載の入退室管理システム。
【発明の詳細な説明】
【技術分野】
【０００１】
この発明は、入退室管理システムに関するものである。
【背景技術】
【０００２】
入退室管理システムとして、電流が供給されると施錠する電気錠を利用するものが提案されている。当該システムは、個人が認証されると、電気錠への電流供給を一時的に遮断する。当該システムは、個人が認証されていないときに電気錠の施錠状態を保持するために、電気錠に電流を供給し続ける。このため、電気錠の消費電力は比較的多い。
【０００３】
これに対し、電流が供給されると解錠する電気錠を利用するものが提案されている。当該システムは、個人が認証されると、電気錠に電流を一時的に供給する。当該システムは、個人が認証されていないときに電気錠の施錠状態を保持するために、電気錠への電力供給を遮断する。このため、電気錠の消費電力は比較的少ない（例えば、特許文献１参照）。
【先行技術文献】
【特許文献】
【０００４】
【特許文献１】特開昭５８−１２７２９１号公報
【発明の概要】
【発明が解決しようとする課題】
【０００５】
しかしながら、当該システムは、個人が認証されると電気錠に電流を供給する必要がある。このため、個人が認証された際に電気錠が電力を消費する。
【０００６】
この発明は、上述の課題を解決するためになされたもので、その目的は、認証されていない個人がドアを通過することを防止しつつ、電気錠の消費電力を削減することができる入退室管理システムを提供することである。
【課題を解決するための手段】
【０００７】
この発明に係る入退室管理システムは、ドアに設けられ、前記ドアが閉じている状態のときに電流が供給されると、前記ドアの施錠状態を維持する電気錠と、前記ドアの近傍に設けられた認証装置と、前記ドアを開く操作が行なわれたことを検出する検出装置と、前記ドアを開く操作が行なわれていない場合は、前記電気錠への電流供給を遮断し、前記ドアを開く操作が行なわれた際に個人が認証されていない場合は、前記電気錠に電流を供給し、前記ドアを開く操作が行なわれた際に個人が認証されている場合は、前記電気錠への電流供給の遮断を維持する制御装置と、を備えたものである。
【発明の効果】
【０００８】
この発明によれば、認証されていない個人がドアを通過することを防止しつつ、電気錠の消費電力を削減することができる。
【図面の簡単な説明】
【０００９】
【図１】この発明の実施の形態１における入退室管理システムの構成図である。
【図２】この発明の実施の形態１における入退室管理システムのデッドボルトの動作を説明するための図である。
【図３】この発明の実施の形態１における入退室管理システムのデッドボルトの動作を説明するための図である。
【図４】この発明の実施の形態１における入退室管理システムの動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１における入退室管理システムの構成図である。
【００１２】
図１において、１は建築物の壁である。壁１は、建築物内に設けられた管理領域の出入口の側縁部として機能する。管理領域の出入口には、ドア２が設けられる。ドア２の壁１側の側縁部には、ラッチボルト３とデッドボルト４とが設けられる。
【００１３】
ラッチボルト３は、風圧等でドア２が開かないように電力を消費することなく機械的に仮施錠するためのものである。デッドボルト４は、本施錠するための電気錠として機能するものである。
【００１４】
５は個人認証装置である。個人認証装置５は、ドア２の近傍に設けられる。個人認証装置５は、例えば、カードリーダからなる。この場合、個人認証装置５は、個人が所持したカードから情報を読み取り、個人を認証する機能を備える。個人認証装置５の出力端には、電気錠制御装置６の入力端が接続される。
【００１５】
７は制御回路である。制御回路７は、第１接点７ａと第２接点７ｂとを備える。第１接点７ａは、電気錠制御装置６の出力端に接続される。第２接点７ｂは、ラッチボルト３の後部に固定される。
【００１６】
この入退室管理システムにおいては、個人認証装置５が個人を認証していない場合、電気錠制御装置６は、第１接点７ａを閉じた状態にする。このとき、ラッチボルト３が仮施錠状態になっていると、第２接点７ｂは開いた状態となる。このため、制御回路７は、開いた状態となる。その結果、電気錠制御装置６は、デッドボルト４に電流を供給しない。従って、デッドボルト４は、解錠状態となっている。
【００１７】
次に、図２を用いて、認証されない個人がドア２を開こうとした際のデッドボルト４の動作を説明する。
図２はこの発明の実施の形態１における入退室管理システムのデッドボルトの動作を説明するための図である。
【００１８】
個人認証装置５が個人を認証していない場合、電気錠制御装置６は、第１接点７ａを閉じた状態に維持する。この状態で、個人がドア２を開く操作をすると、ラッチボルト３は解錠状態となる。その結果、第２接点７ｂが閉じる。このため、制御回路７は、閉じた状態となる。その結果、電気錠制御装置６は、デッドボルト４に電流を供給する。従って、デッドボルト４は、施錠状態となる。このため、当該個人は、ドア２を開くことができない。
【００１９】
次に、図３を用いて、認証された個人がドア２を開こうとした際のデッドボルト４を説明する。
図３はこの発明の実施の形態１における入退室管理システムのデッドボルトの動作を説明するための図である。
【００２０】
個人認証装置５が個人を認証している場合、電気錠制御装置６は、第１接点７ａは開く。このため、個人がドア２を開く操作に追従して第２接点７ｂが閉じても、制御回路７は、開いた状態を維持する。その結果、電気錠制御装置６は、デッドボルト４に電流を供給しない。従って、デッドボルト４は、解錠状態を維持する。このため、当該個人は、ドア２を開くことができる。
【００２１】
次に、図４を用いて、入退室管理システムの動作を説明する。
図４はこの発明の実施の形態１における入退室管理システムの動作を説明するためのフローチャートである。
【００２２】
まず、ステップＳ１では、電気錠制御装置６は、第１接点７ａを開く。その結果、デッドボルト４への電流が遮断される。すなわち、ドア２は、解錠状態となる。その後、ステップＳ２に進み、ドア２のノブを回す等、ドア２を開く操作が行なわれるまで、待機状態となる。
【００２３】
ドア２を開く操作が行なわれた場合、ラッチボルト３は、解錠状態となる。その結果、第２接点７ｂは、閉じる。その後、ステップＳ３に進み、電気錠制御装置６は、個人認証装置５によって個人が認証されているか否かを判定する。
【００２４】
個人認証装置５による照合が実施されていない場合や、照合の結果、個人が認証されていない場合は、ステップＳ４に進む。ステップＳ４では、電気錠制御装置６は、第１接点７ａを閉じる。その結果、デッドボルト４へ電流が供給される。すなわち、ドア２は、施錠状態となる。その後、ステップＳ５に進む。
【００２５】
ステップＳ５では、個人がドア２から離れるまでは、待機状態となる。具体的には、ラッチボルト３が仮施錠の状態となるまで、待機状態となる。より具体的には、第２接点７ｂが開くまで、待機状態となる。第２接点７ｂが開くと、ステップＳ６に進む。
【００２６】
ステップＳ６では、制御回路７は、開いた状態となる。その結果、デッドボルト４への電流供給が遮断される。すなわち、ドア２は、解錠状態となる。その後、ステップＳ２に戻る。
【００２７】
ステップＳ３で個人が認証された場合は、ステップＳ７に進む。ステップ７では、新たに動作することはない。すなわち、電気錠制御装置６は、第１接点７ａが開いた状態を維持する。すなわち、デッドボルト４への電流供給の遮断が維持される。その後、ステップＳ２に戻る。
【００２８】
以上で説明した実施の形態１によれば、ドア２を開く操作が行なわれた際に個人が認証されていない場合のみに、デッドボルト４に電流が一時的に供給される。このため、認証されていない個人がドア２を通過することを防止しつつ、デッドボルト４の消費電力を削減することができる。特に、数百台を超えるデッドボルト４を制御する場合は、消費電力を大幅に削減することができる。
【００２９】
具体的には、第１接点７ａ、第２接点７ｂを含む制御回路７によって、デッドボルト４への電流供給を制御する。このため、簡素な回路で消費電力を削減することができる。
【００３０】
また、第２接点７ｂは、ラッチボルト３の動きに連動して開閉する。すなわち、第２接点７ｂは、ドア２を開く操作が行なわれたことを検出する検出装置として機能する。このため、特別なドア２を利用することなく、簡素な回路で消費電力を削減することができる。
【００３１】
なお、第２接点７ｂを閉じるための構成は限定されない。例えば、ドア２のノブに振動が加わった場合に第２接点７ｂを閉じるようにしてもよい。また、ドア２のレバーを押し上げたり引いたりした際に第２接点７ｂを閉じるようにしてもよい。
【００３２】
また、個人の認証方法は限定されない。例えば、指紋照合装置による指紋認証で個人を認証してもよい。
【符号の説明】
【００３３】
１  壁
２  ドア
３  ラッチボルト
４  デッドボルト
５  個人認証装置
６  電気錠制御装置
７  制御回路
７ａ  第１接点
７ｂ  第２接点
【図１】
2013124539.tif 000003
【図２】
2013124539.tif 000004
【図３】
2013124539.tif 000005
【図４】
2013124539.tif 000006